(57)【要約】【課題】埋葬時に土を掘ることなく、容易に植物の下深く埋葬することができ、また近隣住民に嫌悪感を与えることを防止する。【解決手段】（ａ）土が収納される収容部と、該収納部の底面部に下方へ連なり、骨壺収容空間を確保する空間確保部とを有する埋葬用鉢１０を、その上端にある開口部を上にして土中に埋めるとともに、該収容部内の土に植物２１を植えておき、（ｂ）遺骨を埋葬する際に、該埋葬用鉢１０を引き上げ、（ｃ）該引き上げの前に該空間確保部が占めていた空間４１に、骨壷１０を収容し、（ｄ）該引き上げの前に該収容部が占めていた空間４０を該収容部内の土で埋めるとともに該植物２１を植える。【選択図】図４
2008133667.tif 000002
【特許請求の範囲】
【請求項１】
（ａ）土が収納される収容部と、該収納部の底面部に下方へ連なり、骨壺収容空間を確保する空間確保部と、
を有する埋葬用鉢を、その上端にある開口部を上にして土中に埋めるとともに、該収容部内の土に植物又は人工植物を植えておき、
（ｂ）遺骨を埋葬する際に、該埋葬用鉢を引き上げ、
（ｃ）該引き上げの前に該空間確保部が占めていた空間に、骨壷を収容し、
（ｄ）該引き上げの前に該収容部が占めていた空間を土で埋めるとともに植物又は人工植物を植える、
工程を有することを特徴とする遺骨埋葬方法。
【請求項２】
該収容部は、第１の側面周囲部と、該第１の側面周囲部の一端面を閉じる第１の底面部と、該側面周囲部に形成された引上用係合部と、を有し、該第１の側面周囲部又は該第１の底面部に水捌け用孔が形成され、
該空間確保部は、該第１の側面周囲部に下方へ連なる第２の側面周囲部と、該第２の側面周囲部の一端面を閉じる第２の底面部とを有し、
該ステップ（ｂ）において、該引上用係合部に、引上装置のロープ下端に取り付けられた係合部を係合させて、該引上装置で該ロープを引き上げることにより該埋葬用鉢を引き上げる、
ことを特徴とする請求項１に記載の遺骨埋葬方法。
【請求項３】
該工程（ｄ）では、該工程（ａ）の収容部内の土と植物又は人工植物とを用いることを特徴とする請求項１又は２に記載の遺骨埋葬方法。
【請求項４】
該工程（ｃ）では、該空間確保部が占めていた空間に水溶紙製の骨壷を収納することを特徴とする請求項１乃至３のいずれか１つに記載の遺骨埋葬方法。
【請求項５】
該収容部と該空間確保部とが一体形成されていることを特徴とする請求項１乃至４のいずれか１つに記載の遺骨埋葬方法。
【請求項６】
側面周囲部及び底面部を有して土が収容され、上端に開口部を有し、上端部に引上用係合部が形成され、該側面周囲部又は該底面部に水捌け用孔が形成された収容部と、
該底面部に下方へ連なり、骨壺収容空間を確保する空間確保部と、
を有する埋葬用鉢が、該開口部を上にして土中に埋められているとともに、該収容部内の土に植物又は人工植物が植えられていることを特徴とする埋葬前墓地構造。
【発明の詳細な説明】
【技術分野】
【０００１】
本発明は、遺骨埋葬方法及び埋葬前墓地構造に関する。
【背景技術】
【０００２】
我が国では、人口の高齢化が一層進んで、現在年間約１００万人の人が亡くなり、ピーク時には約１４０〜１６０万人に達すると予測されている。都市近隣地では既に墓地の適用地が欠乏しており、墓地価格高騰の原因となるとともに、墓地開発による森林伐採、環境破壊の問題も生じ、その技術的解決が期待されている。
【０００３】
また、墓地開発予定地の近隣住民から、墓地の開発で景観が損なわれるとともに嫌悪感を抱くとの理由で墓地開発反対の声が随所であがり、墓地開発が困難な状況に陥っている。
【０００４】
そこで、下記特許文献１には、上記問題点を解決するために墓石を樹木に変えて、その樹木付近に遺骨を埋葬する方法が提案されている。
【特許文献１】特開２００４１１３６７９
【発明の開示】
【発明が解決しようとする課題】
【０００５】
しかしながら、上記特許文献１の発明は、埋葬時に土を掘ったり、樹木の根を切ったりする必要があるので、多くの手間を要する。なお、埋葬前に土を掘っておくこともできるが、埋葬までの間、墓地の景観を損ねて近隣住民に嫌悪感を抱かせる。また、埋葬地に樹木等の植物が植えられていて、その植物の下に埋葬したい場合、植物を取り出すために土を奥深くまで掘らなければならず、多くの手間を要する。
【０００６】
本発明の目的は、このような問題点に艦み、埋葬時に土を掘ることなく、容易に植物の下深く埋葬することができ、また近隣住民に嫌悪感を与えることを防止することができる遺骨埋葬方法及び埋葬前墓地構造を提供することにある。
【課題を解決するための手段】
【０００７】
本発明の第１態様における遺骨埋葬方法では、
（ａ）土が収納される収容部と、該収納部の底面部に下方へ連なり、骨壺収容空間を確保する空間確保部と、
を有する埋葬用鉢を、その上端にある開口部を上にして土中に埋めるとともに、該収容部内の土に植物又は人工植物を植えておき、
（ｂ）遺骨を埋葬する際に、該埋葬用鉢を引き上げ、
（ｃ）該引き上げの前に該空間確保部が占めていた空間に、骨壷を収容し、
（ｄ）該引き上げの前に該収容部が占めていた空間を土で埋めるとともに植物を植える、
工程を有する。ここに「土中に埋める」とは埋葬用鉢の全部又は一部を土中に埋める意味であり、上端部が露出していてもよい。
【０００８】
本発明の第２態様における遺骨埋葬方法では、第１態様において、
該収容部は、第１の側面周囲部と、該第１の側面周囲部の一端面を閉じる第１の底面部と、該側面周囲部に形成された引上用係合部と、を有し、該第１の側面周囲部又は該第１の底面部に水捌け用孔が形成され、
該空間確保部は、該第１の側面周囲部に下方へ連なる第２の側面周囲部と、該第２の側面周囲部の一端面を閉じる第２の底面部とを有し、
該ステップ（ｂ）において、該引上用係合部に、引上装置のロープ下端に取り付けられた係合部を係合させて、該引上装置で該ロープを引き上げることにより該埋葬用鉢を引き上げる。
【０００９】
本発明の第３態様における遺骨埋葬方法では、第１又は第２態様において、
該工程（ｄ）では、該工程（ａ）の収容部内の土と植物又は人工植物とを用いる。
【００１０】
本発明の第４態様における遺骨埋葬方法では、第１乃至第３のいずれか１つの態様において、
該工程（ｃ）では、該空間確保部が占めていた空間に水溶紙製の骨壷を収納する。
【００１１】
本発明の第５態様における遺骨埋葬方法では、第１乃至第４のいずれか１つの態様において、
該収容部と該空間確保部とが一体形成されている。
【００１２】
本発明の第６態様における埋葬前墓地構造では、
側面周囲部及び底面部を有して土が収容され、上端に開口部を有し、上端部に引上用係合部が形成され、該側面周囲部又は該底面部に水捌け用孔が形成された収容部と、
該底面部に下方へ連なり、骨壺収容空間を確保する空間確保部と、
を有する埋葬用鉢が、該開口部を上にして土中に埋められているとともに、該収容部内の土に植物又は人工植物が植えられている。
【発明の効果】
【００１３】
上記第１態様の方法によれば、土中に埋められた埋葬用鉢の空間確保部が占める空間に骨壷を収納するので、埋葬時に土を掘ることなく、容易に植物又は人工植物の下深く埋葬することができるという効果を奏する。また、埋葬前に土中に埋められた埋葬用鉢の収納部には植物が植えられ、埋葬後にも、墓石などは存在せず、土中に植物が植えられるので、近隣住民に嫌悪感を与えることを防止することができるという効果を奏する。
【００１４】
上記第２態様の方法によれば、引上用係合部を備えた埋葬用鉢を土中に埋めて、埋葬する際、該引上用係合部に、ロープ下端に取り付けられた係合部を係合させて該埋葬用鉢を引き上げるので、容易に該埋葬用鉢を引き上げ、即座に埋葬することができるという効果を奏する。また、第１の側面周囲部又は該第１の底面部に水捌け用孔を備えた埋葬用鉢を土中に埋めるので、埋葬用鉢に植えられた植物の根が水分過多により腐ることを防止することができるという効果を奏する。
【００１５】
上記第３態様の方法によれば、埋葬用鉢の収容部が占めていた空間に、収容部内の土と植物又は人工植物を埋めるので、植物を新たに購入することなく、即座に元の景観に戻すことができ、近隣住民に嫌悪感を与えることを防止することができるという効果を奏する。また、空間確保部により骨壷用の空間を作ることで、土を補充又は除去することなく、埋葬前における、土中に埋められた埋葬用鉢に植えられている植物２１の位置の地表高さと、埋葬後における、植物又は人工植物の位置の地表高さとをほぼ同一にすることができるという効果を奏する。
【００１６】
上記第４態様の方法によれば、遺骨の入った水溶紙製の骨壷を埋葬するので、埋葬して一定の時間を経過した後にその骨壷は分解し、遺骨も溶けて、土中に浸透し、これにより、その埋葬地を自然に戻すことができ、その近隣住民の嫌悪感を与えることをさらに防止することができる。
【００１７】
本発明の他の目的、構成及び効果は以下の説明から明らかになる。
【実施例１】
【００１８】
図１（Ａ）は、本発明に係わる埋葬用鉢１０を示す外観斜視図である。図１（Ｂ）は、この埋葬用鉢１０の内部形状を示す部分縦断面斜視図である。図１（Ｃ）は、図１（Ａ）において、ＩＣ−ＩＣ線に沿った横断面図である。
【００１９】
埋葬用鉢１０は、プラスチックで形成され、第１の側面周囲部１１、第１の底部１２、引上用係合部１３及び水捌け用孔１４を有し、中に土が収容される収納部１５と、第２の側面周囲部１６及び第２の底部１７としての蓋を有し、土中に埋められた時に骨壷の収納空間を確保する空間確保部１８とから構成されている。
【００２０】
収納部１５と空間確保部１８（蓋を除く）とは一体成形されており、以下にそれらを構成する各部の詳細な説明を述べる。
【００２１】
第１の側面周囲部１１は、その内側が中空であり、第１の底部１２周縁に連なり、第１の底部１２上方に突出し、上方に向かって僅かに大径とされたテーパー状に形成されている。
【００２２】
第１の底部１２は、第１の側面周囲部１１下面の開口部と第２の側面周囲部１３上面の開口部との間を塞ぐために設けられており、その円周に沿って等間隔に水捌け用孔１６が設けられている。
【００２３】
引上用係合部１３は、第１の側面周囲部１１の上端に連なり、外側に水平に突出して、環状に形成されており、埋葬用鉢１０を土中から引き上げる時に用いられる。
【００２４】
第２の側面周囲部１６は、その内側が中空であり、第１の底部１２下面に連なり、底部１２下方に突出し、円筒状に形成されている。また、この内側には、図１（Ｃ）に示すように、補強のための横断面十字形のリブ１９｛図１（Ｂ）には不図示｝が設けられている。
【００２５】
第２の底部１７としての蓋は、第２の側面周囲部１６下面の開口部を、その緑部と嵌合して塞ぐために設けられている。なお、底部１７にある穴は、土中に埋められた際に、温度によって空間確保部１８が伸縮するのを防ぐために設けられている。
【００２６】
本発明の実施例１では、上記のような埋葬用鉢１０を用いて、以下のような埋葬方法を使用する。
【００２７】
図２は、本発明に係わる墓地２０の外観を示した斜視図である。この墓地２０は、背景技術の欄で説明したような環境破壊や近隣住民を考慮して、墓石の代わりに樹木等の植物２１で構成されており、所謂公園墓地である。
【００２８】
墓地２０の美観を保つために、この植物２１は墓地開発の時に予め植えられる。
【００２９】
図３は、墓地２０に植物２１が植えられている様子を示した図である。
【００３０】
本発明に係わる遺骨埋葬方法では、墓地２０の土を掘り、植物２１が植えられている上記埋葬用鉢１０を墓地２０に埋める。この図３に示すような埋葬用鉢１０と墓地２０と植物２１とからなる構造を埋葬前墓地構造２２と称す。
【００３１】
図４（Ａ）、（Ｂ）及び（Ｃ）は、墓地２０から埋葬用鉢１０を引き上げる様子を示した図である。遺骨を埋葬する際に、埋葬用鉢１０を引き上げる方法は、埋葬用鉢１０のサイズや重さによって異なるが、本実施例１では、図４（Ａ）、（Ｂ）及び（Ｃ）に示すようにウィンチ３０を用いて、植物２１が植えられている埋葬用鉢１０を引き上げる。なお、図中に示す番号３１、３２、３３、３４は、それぞれワイヤーロープ、フック、ロープ、ウィンチハンドルである。ここで、ロープ３３は、図４（Ａ）に示すように埋葬用鉢１０の引上用係合部１３の下端面側である第１の側面周囲部１１の外周に巻きつけられており、図４（Ｂ）及び（Ｃ）に示すように、埋葬用鉢１０を引き上げる際に、この引上用係合部１３によりロープ３３が鉢１０から外れないようになっている。
【００３２】
図５は、墓地２０から埋葬用鉢１０を引き上げた後の様子を示した図である。ここで、上記埋葬用鉢１０が引き上げられた墓地２０には、図５に示すように、収納部１５による、上記第１の側面周囲部１１の外径とほぼ同一の第１の空間４０と、空間確保部１８による、上記第２の側面周囲部の外径とほぼ同一の第２の空間４１とが形成される。
【００３３】
図６は、遺骨を埋める様子を示した図である。上記第２の空間４１に遺骨の入った陶器製の骨壷５０を入れ、埋葬用鉢１０から土付植物２１を取り出して第１の空間４０に入れる。
【００３４】
本実施例１では、墓地２０に埋められた埋葬用鉢１０における第２の側面周囲部の外径とほぼ同一の第２の空間４１に骨壷５０を収納するので、埋葬時に土を掘ることなく、容易に植物２１の下深く埋葬することができるという効果を奏する。
【００３５】
また、埋葬前に墓地２０に埋められた埋葬用鉢の収納部１５には植物が植えられており、埋葬後にも、墓地２０には墓石などは存在せず、植物が植えられているので、近隣住民に嫌悪感を与えることを防止することができるという効果を奏する。
【００３６】
さらに、第１の側面周囲部１１の外径とほぼ同一の第１の空間４０に、収容部内の土と植物２１を埋めるので、植物を新たに購入することなく、即座に元の景観に戻すことができ、近隣住民に嫌悪感を与えることを防止することができるという効果を奏する。
【００３７】
さらにまた、埋葬用鉢１０に収納部１５の他に骨壷収納空間を確保する空間確保部１８が備えられていることにより、土を補充又は除去することなく、埋葬前における、墓地２０に埋められた埋葬用鉢１０植えられている植物２１の位置の地表高さと、埋葬後における、墓地２０に植えられている植物２１の位置の地表高さとをほぼ同一にすることができるという効果を奏する。
【００３８】
また、埋葬用鉢１０に引上用係合部１３が備えられていることで、埋葬用鉢１０を容易に引き上げることができるという効果を奏する。
【００３９】
さらに、埋葬用鉢１０に水捌け用孔１４が備えられていることで、埋葬用鉢１０を墓地２０に埋めた際、埋葬用鉢に植えられた植物の根が水分過多により腐ることを防止することができるという効果を奏する。
【００４０】
さらにまた、第２の側面周囲部１６の内側を中空にすることで、空間確保部１８のコストダウンや軽量化を図ることができるという効果を奏する。
【実施例２】
【００４１】
実施例１では、遺骨を陶器製の骨壷５０を入れる場合を説明したが、その場合、骨壷５０が取り出されない限り、骨壷５０が墓地２０に永久に存在することになるので、近隣住民に嫌悪感を与えてしまう。
【００４２】
よって、本実施例２では、上記遺骨埋葬方法において、土中に埋める陶器製の骨壷５０を自然溶解する水溶紙製の骨壷５０ａに代えることにより、自然埋葬を実現する。
【００４３】
図７（Ａ）は、本発明に係わる自然溶解する水溶紙製の骨壷５０ａを示す斜視図である。図７（Ｂ）及び（Ｃ）はそれぞれ、この骨壷５０ａを構成する筒状容器５１及び蓋５２の縦断面図である。
【００４４】
骨壷５０ａのサイズは例えば、外径１４０ｍｍ×高さ２００ｍｍ、内径１２３ｍｍである。骨壷５０ａ内には、火葬場で遺骨が入れられ、その後、埋葬前にこの遺骨が骨壷５０ａから取り出され、粉砕されて例えば粒径約２ｍｍ以下の粉状物にされ、骨壷５０ａ内に戻される。
【００４５】
上記骨壷５０ａを、図６に示すように、実施例１で説明した遺骨埋葬方法によって形成される空間４１に埋め、同様に形成された空間４０に、埋葬用鉢１０に植えられている植物２１を植える。
【００４６】
その後、一定の期間が経過すると、雨水等により骨壺５０ａは分解され、遺骨も溶けて、土中に浸透する。
【００４７】
本実施例２では、遺骨の入った水溶紙製の骨壷５０ａを埋葬するので、埋葬して一定の時間を経過した後にその骨壷が分解し、遺骨も浸透して、その埋葬地を自然に戻すことができ、その近隣住民の嫌悪感を与えることを防止することができるという効果を奏する。
【００４８】
なお、本発明には他にも種々の変形例が含まれる。
【００４９】
例えば、本実施例１で埋葬用鉢１０がプラスチックで形成される場合を説明したが、埋葬用鉢１０はいかなる材料で形成されてもよく、例えば金属、セラミックス、樹脂、木材などが挙げられる。また、埋葬用鉢１０は植えられる植物や骨壷５０のサイズに応じたサイズであればよい。
【００５０】
さらに、埋葬用鉢１０の構成は、図１（Ａ）及び（Ｂ）に示した構成だけでなく、例えば図８（Ａ）及び（Ｂ）に示すように、埋葬用鉢１０ａのような構成であってもよい。埋葬用鉢１０ａは、収納部１５と空間確保部１８とが合成樹脂により一体成形されており、第２の側面周囲部１６上端の開口部を閉じるために蓋１２ａが設けられている。ここで、図８（Ａ）は、埋葬用鉢１０ａの部分縦断面斜視図であって、第２の側面周囲部１６上端の開口部を蓋１２ａで閉じていない状態を示した図である。図８（Ｂ）は、埋葬用鉢１０ａの部分縦断面斜視図であって、第２の側面周囲部１６上端の開口部を蓋１２ａで閉じている状態を示した図である。なお、蓋１２ａの下端面には、リブ１９ａが連なっており、図８（Ｂ）に示すように、第２の側面周囲部１６上端の開口部を蓋１２ａで閉じた時に、リブ１９ａの下端面が第２の底部１７ａの上端面と接触する。図８（Ｃ）は、図８（Ａ）において、VIIIＣ−VIIIＣ線に沿ったリブ１９ａの断面図である。また、この埋葬用鉢１０ａには、支持部６０が第１の底部１２周縁に連なり、第１の底部１２下方に突出して円筒状に形成されている。この支持部６０は、埋葬用鉢１０ａを地上に立てる時に、それが倒れないようにするために設けられている。
【００５１】
さらにまた、埋葬用鉢１０の構成は、図１（Ａ）及び（Ｂ）又は図８（Ａ）及び（Ｂ）に示した構成だけでなく、例えば図９（Ａ）及び（Ｂ）に示すように、埋葬用鉢１０ｂのような構成であってもよい。この埋葬用鉢１０ｂは、収納部１５と空間確保部１８とが一体成形されておらず、収納部１５と空間確保部１８とがそれぞれ成形された後に、図中に示す嵌合部７０及び７１で、収納部１５と空間確保部１８とを接続する。ここで、図９（Ａ）は、埋葬用鉢１０ｂの部分縦断面斜視図であって、収納部１５と空間確保部１８とが分離している状態を示した図である。図９（Ｂ）は、埋葬用鉢１０ｂの部分断面斜視図であって、収納部１５と空間確保部１８とが嵌合部７０及び７１で接続された状態を示した図である。なお、この空間確保部１８は、第２の底部１７ｂと、第２の底部１７ｂ周縁に連なり、上方に突出した円筒状の第２の側面周囲部１６と、第２の底部１７ｂの上端面に連なり、上方に突出した十字形のリブ（不図示）で形成されている。
【００５２】
また、第１の側面周囲部１１の形状がテーパー状である場合を説明したが、持ち上げ可能な形状であればよく、例えば円柱、四角柱のような形状であってもよい。
【００５３】
さらに、埋葬用鉢１０のサイズが比較的小さくて、埋葬用鉢１０を土中から引き上げることができれば、引上用係合部１３はなくてもよく、例えば第１の側面周囲部１１上端の外側と内側の両サイドを人手等で掴み、引き上げてもよい。
【００５４】
さらにまた、水捌け用孔１６が第１の底部１２に設けられている場合を説明したが、他の場所に設けられていてもよく、例えば第１の側面周囲部１１の下部や中間部などに設けられてもよい。
【００５５】
また、第２の側面周囲部１６の内側をコストダウンや軽量化のために中空にする場合を説明したが、上記目的を考慮せずに中空にしなくてもよい。なお、その内側を中空にした場合、十字形のリブ１９を設ける場合を説明したが、例えば星形など、他の形状のリブを設けてもよい。
【００５６】
さらに、植物２１は、図２に示すような樹木だけに限られず、花、雑草又は人工芝生等の人工植物などであってもよい。
【００５７】
さらにまた、実施例１では、骨壷５０が陶器である場合を説明したが、金属、樹脂、プラスチックなどであってもよい。また、実施例２では、自然埋葬のために水溶紙製の骨壷５０ａを用いる場合を説明したが、骨壷５０ａの材料が自然に戻るものであればよく、例えば葉っぱや竹などを用いた自然物で構成された骨壷であってもよい。
【００５８】
また、遺骨は、人骨だけでなく、ペットの遺骨であってもよい。
【００５９】
さらに、上記遺骨埋葬方法において、植物２１が植えられている埋葬用鉢１０を墓地２０に埋める工程を説明したが、その工程の代わりに、中が空の埋葬用鉢１０を墓地２０に埋めた後に、埋葬用鉢１０の中に土を埋めて植物２１を植える工程を用いてもよい。
【００６０】
さらにまた、上記遺骨埋葬方法において、遺骨を埋葬する際に、図４に示すようにウィンチを使用して墓地２０から埋葬用鉢１０を引き上げる工程を説明したが、その工程の代わりに、人間の手やクレーン等の引き上げ手段により埋葬用鉢１０の引上用係合部１３を持って埋葬前墓地構造２２から埋葬用鉢１０を引き上げる工程を用いてもよい。
【００６１】
また、上記遺骨埋葬方法において、骨壷５０や水溶紙製の骨壷５０ａに遺骨を入れて、図６に示す空間４１にそれを埋葬する工程を説明したが、その工程の代わりに、遺骨のみ又はこれに肥料及び土を加えたものを空間４１に埋葬する工程を用いてもよい。
【００６２】
さらに、上記遺骨埋葬方法において、埋葬用鉢１０に植えられている植物２１を、図６に示す空間４０に埋める工程を説明したが、その工程の代わりに、埋葬用鉢１０に植えられていない他の植物を空間４０に埋める工程を用いてもよい。
【実施例３】
【００６３】
上記遺骨埋葬方法では、年月の経過に伴って、墓地２０の何処に遺骨が埋葬されたかを正確に認識することが困難となる。
【００６４】
よって、本実施例３では、上記遺骨埋葬方法によって埋葬された遺骨の場所を把握するために、墓地２０を管理する墓地管理方法を説明する。
【００６５】
図１０は、墓地２０の平面図に後述の座標格子を重ね合わせた図である。座標格子は仮想的なものであり、２点鎖線で示されている。墓地２０は、埋葬が行われる矩形の領域１００の隣り合う２辺にそれぞれ所定間隔毎に座標識別子１０１、１０２が設置されている。座標識別子１０１、１０２は、例えば着色コンクリートブロック又は着色石であって、５０ｃｍ間隔で白色と赤色のものが交互に配置されている。座標識別子１０１、１０２にはそれぞれ、Ｘ座標の値ｉ＝０，１，２，・・・、Ｙ座標の値ｊ＝０，１，２，・・・が記載されており、図１０ではこれらの値が座標格子に対応して記載されている。
【００６６】
図１１は、墓地管理Ｗｅｂシステムを示す概略図である。
【００６７】
このシステムは、インターネットＮＥＴに結合された墓地管理サーバ１１０と複数台のクライアント１１１とを備えている。図１１では簡単化のために、１つのクライアント１１１のみを示し、また、ルータやモデムを図示省略している。
【００６８】
墓地管理サーバ１１０は、コンピュータ本体１１２と、これに結合された外部記憶装置１１３とを備えている。コンピュータ本体１１２では制御部２３１が、ネットワークインタフェース２３２を介してインターネットＮＥＴに結合され、外部記憶装置１１３のコンテンツ２４１に結合され、さらにデータベース管理システム（ＤＢＭＳ）２３３を介し外部記憶装置１１３のデータベース２４２に結合されている。
【００６９】
コンピュータ本体１１２の制御部２３１及びＤＢＭＳ２３３は、ハードウェアとソフトウェアの組み合わせを機能的に示したものである。
【００７０】
制御部２３１のソフトウェアは、オペレーティングシステム（ＯＳ）、このＯＳ上で動作するＷｅｂサーバプログラム及びＷｅｂアプリケーションプログラムを有している。
【００７１】
外部記憶装置１１３には、コンテンツ２４１及びデータベース２４２が格納され、データベース２４２には、ＨＴＭＬファイルの集合と、各ＨＴＭＬファイルにリンクされ又はＷｅｂアプリケーションプログラムでリンクされる画像ファイルが含まれている。
【００７２】
制御部２３１は、クライアント１１１からの要求（ブラウザからの要求）に応じて、コンテンツ２４１中のファイルをクライアント１１１へ送信（ブラウザへ送信）し、又は、ＤＢＭＳ２３３を介しデータベース２４２をアクセスし、そのデータを用いて、コンテンツ２４１中のファイルを選択し又はコンテンツ２４１中のファイルを用いてＨＴＭファイルを作成し、クライアント１１１へ送信する。
【００７３】
図１２（Ａ）に示す地区マップファイル３００は、コンテンツ２４１の一部であり、その各ファイルの内容は、各地区に存在する墓地２０の位置を示す。
【００７４】
図１２（Ｂ）に示す座標格子ファイル３０１は、コンテンツ２４１の一部であり、地区マップファイル３００で示された各地に存在する墓地２０のデジタル写真と、これに重畳された座標格子とを含んでいる。すなわち、座標格子ファイル３０１は、座標格子３１０を含み、その外枠の隣り合う辺にはＸ−Ｙ直交座標系の座標軸の目盛りとしてのＸ座標コード３１１及びＹ座標コード３１２が付されている。
【００７５】
整数の組である座標（Ｘ，Ｙ）は、１つの骨壷５０の埋葬エリア（セル）に対応している。座標格子ファイル３０１のファイル名は、墓地コードを含んでおり、例えば、１０００．ｈｔｍは、墓地コードが１０００であることを示している。例えば墓地コードの上位２桁は都道府県コードであり、下位２桁はその都道府県内の墓地のシリアル番号である。
【００７６】
座標格子３１０は、ＨＴＭＬファイル中のテーブルで表したり、ＷｅｂアプリケーションでＣＡＤソフトを利用しパラメータを与えることで画像として作成したりすることができる。また、墓地２０のデジタル写真は、このテーブルを含む外側のテーブルの背景画像として表すことができる。この写真は、季節に応じて変更するのが好ましい。
【００７７】
図１３は、データベース２４２を構成する墓地管理テーブル３２０を示す。このテーブルは、墓地コードとＸ座標コードとＹ座標コードとからなる埋葬エリアコード、空き情報及び利用者ＩＤのフィールドを含んでいる。
【００７８】
図１４は、データベース２４２を構成する利用者情報テーブル３３０を示す。このテーブルは、利用者ＩＤ、パスワード、氏名、住所、申込日、埋葬予定日、埋葬日及び埋葬エリアコードのフィールドを含んでいる。利用者情報テーブル３３０にも埋葬エリアコードを含む理由は、同じ埋葬エリアコードを期間毎に異なる人で共有できるからであり、本発明の特徴の１つである。利用者情報テーブル３３０は墓地管理テーブル３２０と共にリレーショナルデータベースを構成している。
【００７９】
利用者がクライアント１１１のブラウザ上で墓地管理サーバ１１０のアドレスを指定すると、墓地管理サーバ１１０の制御部２３１はこれに応答して、例えば図１８（Ａ）に示すようなメニューを表示するためのファイルをクライアント１１１に送信する。利用者は入力装置を操作して、ブラウザ上で希望する地区を指定し、さらに「利用状況表示又は申込」を選択すると、これらの情報が墓地管理サーバ１１０に送信され、墓地管理サーバ１１０とクライアント１１１の間で図１５及び図１６に示すような動作が行われる。以下、括弧内は図中のステップ識別符号である。
【００８０】
（Ｓ１０）墓地管理サーバ１１０は、コンテンツ２４１からこの指定された地区に該当するマップファイルを読み出し、クライアント１１１に送信する。
【００８１】
（Ｓ１１）これにより、例えば図１８（Ｂ）に示すような希望する地区マップが、クライアント１１１の画面に表示される。利用者は、この地区マップに示された墓地の位置群のうちの１つを、マウスのクリック時のカーソル位置Ｐにより指定する。この位置Ｐの座標データが検出されて、サーバ１１０に送信される。
【００８２】
（Ｓ１２）制御部２３１はこれに応答して、位置と墓地コードとが対応付けられた不図示のテーブルを参照し、位置Ｐに対応した墓地コードを検出する。
【００８３】
（Ｓ１３）制御部２３１は、図１３の墓地管理テーブル３２０から、検出した墓地コードを含む埋葬エリアコードのうち、空き情報が"１"（使用中又は申込み中）である埋葬エリアコードを抽出する。
【００８４】
（Ｓ１４）制御部２３１は、ステップＳ１２で検出した墓地コードを含む名前のファイルをコンテンツ２４１から読み出し、前記抽出した埋葬エリアコードを参照して利用状況ファイルを作成する。例えば、この墓地コードを含む名前のファイル１０００．ｈｔｍにおいて、その座標格子（テーブル）内の、前記抽出した埋葬エリアコードに含まれる座標（Ｘ，Ｙ）に対応したセルに、他のセルと異なる背景色を設定することにより、利用状況ファイルを作成し、これをクライアント１１１に送信する。
【００８５】
（Ｓ１５）これにより、クライアント１１１の画面には、例えば図１８（Ｃ）に示すような利用状況の座標格子３１０Ａが表示される。図１８（Ｃ）中の斜線部のセルは、空き情報の値が"１"であって、その背景色が他のセルと異なり、使用中又は申込中となっているエリアであることを示す。
【００８６】
（Ｓ１６）利用者は、座標格子３１０Ａ上の申込希望エリアを、マウスのクリック時のマウスカーソル位置Ｑにより指定する。この位置Ｑのデータが検出され、墓地コードとともに墓地管理サーバ１１０に送信される。
【００８７】
（Ｓ１７）制御部２３１は、受信した位置Ｑと墓地コードとに基づいて、位置Ｑが含まれるセルのＸ座標コード及びＹ座標コードを求め、受信した墓地コードとこの座標コードとからなる埋葬エリアコードを墓地管理テーブル３２０から検索し、対応する空き情報を読み出す。
【００８８】
（Ｓ１８）この空き情報の値が"０"であれば、ステップ１９へ進み、"１"であれば、ステップ１４へ戻る。
【００８９】
（Ｓ１９）制御部２３１は、利用者情報登録画面を表示させるファイルをクライアント１１１に送信する。
【００９０】
（Ｓ２０）これにより、クライアント１１１に例えば図１８（Ｄ）に示すような利用者情報登録画面が表示される。
【００９１】
（Ｓ２１）利用者が、氏名、住所等の情報を入力した後に「申込」を選択した場合には、ステップ２２へ進み、「戻る」を選択した場合にはその情報を墓地管理サーバ１１０へ送信する。
【００９２】
（Ｓ２２）クライアント１１１は、入力された利用者情報を墓地管理サーバ１１０へ送信する。
【００９３】
（Ｓ２３）制御部２３１は、この利用者情報の受信に応答して、墓地管理テーブル３２０の対応する埋葬エリアコードの空き情報を"１"に変更し、利用者ＩＤ及びパスワードを発行し、この利用者ＩＤをこのレコードに書き込む。また、制御部２３１は利用者情報テーブル３３０に新規レコードを追加し、これに、前記利用者ＩＤ、パスワード、受信した氏名、住所及び申込日等の利用者情報を、申込対象の埋葬エリアコードとともに書き込む。
【００９４】
制御部２３１は、「戻る」の情報を受信した場合、図１８（Ａ）の初期画面を表示させるファイルをクライアント１１１へ送信する。
【００９５】
（Ｓ２４）制御部２３１は、利用者情報テーブル３３０に上記のように新規作成したレコードの内容を含む申込受付完了画面を表示させるためのファイルを、クライアント１１１に送信する。
【００９６】
（Ｓ２５）これにより、クライアント１１１に例えば図１９（Ａ）に示すような申込受付完了画面が表示される。
【００９７】
なお、骨壷５０及びその中の遺骨は雨水で土中に自然溶解し拡散するので、所定期間経過すれば墓地として再利用できる。そこで、墓地管理サーバ１１０の外部記憶装置１１３にはクリア期間、例えば５年が設定されており、制御部２３１は、図１３の墓地管理テーブル３２０と図１４の利用者情報テーブル３３０とのリレーショナルデータベースについて、定期的に、例えば毎月１回、埋葬日からクリア期間が経過しているか否かを判定し、経過していれば、墓地管理テーブル３２０において、空き情報を"０"にするとともに利用者ＩＤをゼロクリアする（無効な利用者ＩＤにする）。
【００９８】
制御部２３１はまた、例えば１日１回、申込日から所定期間内、例えば１０日以内に申込料金が入金されているか否かを判定し、否定判定した場合には、墓地管理テーブル３２０において、空き情報を"０"にするとともに利用者ＩＤをゼロクリアし、さらに、利用者情報テーブル３３０の該当レコードを削除する。
【００９９】
墓地の現地管理人は、他のプログラムを起動させて埋葬予定日を入力すると、利用者情報テーブル３３０の該当するレコードが表示され、利用者が埋葬を完了したら「埋葬完了」ボタンを押下することにより、該当レコードの埋葬日に当日の日付が入力される。
【０１００】
本実施例３によれば、Ｘ−Ｙ直交座標を含む埋葬エリアコードで任意の埋葬エリアを表してこの埋葬エリアコードで墓地を管理するので、コンピュータでの処理が簡単になるとともに、利用者及び墓地管理人が容易に埋葬エリアを識別でき、上記実施例１で説明した遺骨埋葬方法による墓地２０の管理が容易である。
【０１０１】
また、申込、申込日から入金なく所定期間経過、埋葬日からクリア期間経過によって空き情報が自動更新されるので、インターネットを介し全国の利用者が最新の墓地利用状況をマップで容易に確認できる。
【０１０２】
さらに、使用中の埋葬エリアがクリア期間を経過すると自動的に空き状態となり、新規利用者が申込を行うことができるため、効率的な墓地管理を行うことができる。
【０１０３】
ここで、利用者が親戚等に埋葬エリアを知らせ、親戚等がこれを確認したり、本人が埋葬エリアを忘れたために確認したりしたい場合がある。
【０１０４】
図１７は、利用者が墓地申込みを行った後に、本人又はその関係者が図１８（Ａ）の初期画面で「確認」を選択した場合の、墓地管理サーバ１１０とクライアント１１１の協調動作のシーケンスを示すフローチャートである。
【０１０５】
（Ｓ２６）墓地管理サーバ１１０の制御部２３１は、この選択に応答して、例えば図１９（Ｂ）に示すような利用者ＩＤ及びパスワード入力画面をクライアント１１１に表示するためのファイルを送信する。
【０１０６】
（Ｓ２７）利用者は、制御部２３１により以前に発行された利用者ＩＤ及びパスワードをブラウザ上で入力して、送信ボタンを押下する。クライアント１１１はこれに応答して、この利用者ＩＤ及びパスワードを墓地管理サーバ１１０へ送信する。
【０１０７】
（Ｓ２８〜Ｓ３０）制御部２３１は、受信した利用者ＩＤをキーとして利用者情報テーブル３３０を検索し、一致するレコードがなければＮＧ情報を表示させるためのファイルをクライアント１１１へ送信し、有ればそのレコードの利用者情報を表示させるためのファイルをクライアント１１１へ送信する。
【０１０８】
（Ｓ３１）これにより、一致するレコードがあればクライアント１１１に例えば図１９（Ｃ）に示すような利用者情報確認画面が表示される。墓地マップ確認ボタンを押下すると、例えば図１９（Ｄ）に示すような当該利用者の埋葬エリアを示すマップが表示される。
【０１０９】
なお、本実施例３には他にも種々の変形例が含まれる。
【０１１０】
例えば、利用者状況表示は座標格子を用いたものが好ましいが、これは文字で表した情報であってもよい。また、上記実施例では多数のクライアントに対する並列処理をサーバ１１０で高速に行うために、墓地管理テーブル３２０において空き情報を示すフラグを用いたが、このフラグを用いずに、有効な利用者ＩＤの有無により空き情報を表す構成であってもよい。この場合、例えば０は無効な利用者ＩＤであって、空きを示す。さらに、墓地管理テーブル３２０は、使用中又は申込中のレコードのみ記入する構成であってもよい。この場合、墓地管理テーブル３２０に含まれない座標コードＸ，Ｙは空きの埋葬エリアに対応している。データ集合はテーブル形式に限定されず、例えばリスト構造であってもよい。
【０１１１】
また、座標識別子１０１及び１０２は、例えば図２０に示すように、これらの軸が領域１００内をクロスするように配置されていてもよい。さらに、埋葬領域を領域１００の一部、例えば図２０に示すように中央領域に限定する構成であってもよい。
【０１１２】
さらに、本実施例４の装置をサーバとして用いずに、現地管理室に装置を配置して管理人が墓地を管理するのに用いることができる。
【０１１３】
さらにまた、宗教毎に墓地を分ける構成であったり、利用者毎のホームページを提供して故人の写真や動画、文章、イラスト、好んだ音楽等の思い出を掲載するようにしたり、利用者情報テーブルに故人の命日を記入し、命日、彼岸などの礼拝時期に利用者へメールを自動送信するようにしてもよい。このホームページの閲覧に関しては、パスワードを必要とするクローズ形式のものと必要としないオープン形式のものを選択的に利用できるようにしてもよい。さらに、利用者情報テーブルに、遺骨の配送方法及び配送予定日等のフィールドを設け、宅急便（登録商標）などで墓地管理事務所へ遺骨を配送するようにしてもよい。
【図面の簡単な説明】
【０１１４】
【図１】（Ａ）は、本発明に係わる埋葬用鉢を示す外観斜視図であって、（Ｂ）は、本発明に係わる埋葬用鉢の部分縦断面斜視図であり、（Ｃ）は、（Ａ）において、ＩＣ−ＩＣ線に沿った空間確保部の横断面図である。
【図２】本発明に係わる墓地全体の外観を示した図である。
【図３】本発明に係わる埋葬前墓地構造を示した図である。
【図４】（Ａ）は、墓地から埋葬用鉢を引き上げる準備が完了した様子を示す図であり、（Ｂ）及び（Ｃ）は、墓地から埋葬用鉢を引き上げる様子を示した図である。
【図５】墓地から埋葬用鉢を取り除いた後の様子を示した図である。
【図６】骨壷を埋める様子を示した図である。
【図７】（Ａ）は、本発明の実施例２に係わる水溶紙製の骨壺を示す斜視図であって、（Ｂ）及び（Ｃ）はそれぞれ、この骨壺を構成する筒状容器及び蓋の縦断面図である。
【図８】（Ａ）は、実施例１の埋葬用鉢の変形例である埋葬用鉢の部分縦断面斜視図であって、第２の側面周囲部上端の開口部を蓋で閉じていない状態を示した図である。（Ｂ）は、埋葬用鉢の変形例である埋葬用鉢の部分縦断面斜視図であって、第２の側面周囲部上端の開口部を蓋で閉じている状態を示した図であり、（Ｃ）は、（Ａ）において、VIIIＣ−VIIIＣ線に沿ったリブの横断面図である。
【図９】（Ａ）は、実施例１の埋葬用鉢の変形例である埋葬用鉢の部分縦断面斜視図であって、収納部と空間確保部とが分離している状態を示した図である。（Ｂ）は、埋葬用鉢の部分断面斜視図であって、収納部と空間確保部とが嵌合部により接続された状態を示した図である。
【図１０】墓地の平面図である。
【図１１】墓地管理Ｗｅｂシステムを示す概略図である。
【図１２】（Ａ）はコンテンツを構成する地区マップファイルの説明図であり、（Ｂ）はコンテンツを構成する、墓地に対応した座標格子のファイルの説明図である。
【図１３】データベースを構成する墓地管理テーブルの説明図である。
【図１４】データベースを構成する利用者情報テーブルの説明図である。
【図１５】利用者が初期画面で「利用状況表示又は申込」を選択した場合の、墓地管理サーバとクライアントの協調動作のシーケンスを示すフローチャートである。
【図１６】図１５の続きを示すフローチャートである。
【図１７】利用者が墓地申込みを行った後に、本人又はその関係者が初期画面で「確認」を選択した場合の、墓地管理サーバとクライアントの協調動作のシーケンスを示すフローチャートである。
【図１８】図１５及び図１６のフローチャートでの処理を説明する図である。
【図１９】（Ａ）は図１６のフローチャートでの処理を説明する図であり、（Ｂ）〜（Ｄ）は図１７のフローチャートでの処理を説明する図である。
【図２０】実施例１の変形例を示す、墓地の平面図である。
【符号の説明】
【０１１５】
１０、１０ａ、１０ｂ  埋葬用鉢
１１  第１の側面周囲部
１２  第１の底部
１２ａ  蓋
１３  引上用係合部
１４  水捌け用孔
１５  収納部
１６  第２の側面周囲部
１７、１７ａ、１７ｂ  第２の底部
１８  空間確保部
１９、１９ａ  リブ
２０  墓地
２１  植物
２２  埋葬前墓地構造
４０、４１  空間
５０、５０ａ  骨壺
５１  筒状容器
５２  蓋
６０  支持部
７０、７１  嵌合部
１００  領域
１０１、１０２  座標識別子
１１０  墓地管理サーバ
１１１  クライアント
１１２  コンピュータ本体
１１３  外部記憶装置
２３２  ネットワークインタフェース
２３１  制御部
２３３  ＤＢＭＳ
２４１  コンテンツ
２４２  データベース
３００  地区マップファイル
３０１  座標格子ファイル
３１０、３１０Ａ  座標格子
３１１  Ｘ座標コード
３１２  Ｙ座標コード
３２０  墓地管理テーブル
３３０  利用者情報テーブル
ＮＥＴ  インターネット
【図１】
2008133667.tif 000003
【図２】
2008133667.tif 000004
【図３】
2008133667.tif 000005
【図４】
2008133667.tif 000006
【図５】
2008133667.tif 000007
【図６】
2008133667.tif 000008
【図７】
2008133667.tif 000009
【図８】
2008133667.tif 000010
【図９】
2008133667.tif 000011
【図１０】
2008133667.tif 000012
【図１１】
2008133667.tif 000013
【図１２】
2008133667.tif 000014
【図１３】
2008133667.tif 000015
【図１４】
2008133667.tif 000016
【図１５】
2008133667.tif 000017
【図１６】
2008133667.tif 000018
【図１７】
2008133667.tif 000019
【図１８】
2008133667.tif 000020
【図１９】
2008133667.tif 000021
【図２０】
2008133667.tif 000022